Podtech/llm-jp-corpus-v4-ja_patent huggingface dataset:
(57)【要約】      （修正有）【課題】アルファベットや欧文の筆記練習に使う英習罫であって、ベースラインを青い導線にすることで見た目の不快感を無くし、筆記後の文字を見やすくした英習罫を提供する。【解決手段】アセンダライン、ミーンライン、ベースライン、ディセンダラインの４本の水平線を１段として１ページに複数の段を配置した英習罫であって、ベースラインを青い導線としたことを特徴として英習罫を形成する。アセンダライン２は、英習罫において小文字のｆ、ｈ、１などの上端の高さに引かれた水平線を示す。ミーンライン３は、英習罫において小文字のａ、ｃ、ｘなどの高さに引かれた水平線を示す。ベースライン４は、英習罫において文字を組むうえで視線を誘導する基盤となる水平線を示す。このベースラインの色を青とする。ディセンダライン５は、英習罫において小文字のｇ、ｐ、ｙなどの下端の高さに引かれた水平線を示す。【選択図】図１
0003174977.tif 000002
【実用新案登録請求の範囲】
【請求項１】
従来、赤い導線にするのが慣例となっているベースラインを、青い導線にして、見た目の不快感を無くし、筆記後の文字を見やすくしていることを特徴とする英習罫。
【考案の詳細な説明】
【技術分野】
【０００１】  本考案は、アルファベットや欧文の筆記練習に使う英習罫のベースラインを青線にしたものである。
【背景技術】
【０００２】  アルファベットの筆記練習に欠かせない英習罫は、アセンダライン（２）、ミーンライン（３）、ベースライン（４）、ディセンダライン（５）という４本の水平線で構成されている。このうちベースライン（４）は赤い導線にするのが慣例となっている。基準線として目立たせる目的であると考えられるが、必ず赤でなければならないという定めは無い。
【考案の概要】
【考案が解決しようとする課題】
【０００３】  アルファベットの筆記練習に欠かせない英習罫のベースライン（４）は赤い導線にするのが慣例となっているが、赤いラインの連続は決して目にやさしいものではなく、黒いラインとの彩度対比も強いため、筆記後の文字を見づらくしてしまっている。そのため、ノートを見直しする際、目が疲れやすく復習もしにくい。
本考案の英習罫は、ベースライン（４）を青線にすることで見た目の不快感を無くし、筆記後の文字を見やすくしている。
【課題を解決するための手段】
【０００４】  本考案は、アルファベットや欧文の筆記練習に使う英習罫のベースラインを青い導線にすることで見た目の不快感を無くし、筆記後の文字を見やすくしている。
【考案の効果】
【０００５】  上述の様に本考案の英習罫は、青い導線にすることで不快感を無くし、筆記後の文字を見やすくしている。ノートを見直しする際、目が疲れず復習がしやすくなる。
【図面の簡単な説明】
【０００６】
【図１】  本考案の英習罫のうち、１ページ８段の本文の罫内容を示す図である
【考案を実施するための形態】
【０００７】  アルファベットや欧文の筆記練習に使う英習罫のベースラインを青い導線にした仕様とする。ノートやノートパッドといった製品での展開で、１ページの罫の段数は適用学年に応じて８段、１０段、１３段、１５段などが考えられる。
【実施例】
【０００８】  以下、添付図面に従って実施例を説明する。１は本考案の英習罫のうち、１ページ８段の本文の罫内容を示す。２はアセンダラインと呼ばれ、英習罫において小文字のｆ、ｈ、１などの上端の高さに引かれた水平線を示す。３はミーンラインと呼ばれ、英習罫において小文字のａ、ｃ、ｘなどの高さに引かれた水平線を示す。４はベースラインと呼ばれ、英習罫において文字を組むうえで視線を誘導する基盤となる水平線を示す。このベースラインの色を青とする。５はディセンダラインと呼ばれ、英習罫において小文字のｇ、ｐ、ｙなどの下端の高さに引かれた水平線を示す。６は実際に筆記した場合のサンプルとして示す。
【符号の説明】
【０００９】１  英習罫１ページ全体
２  アセンダライン
３  ミーンライン
４  青いベースライン
５  ディセンダライン
６  筆記サンプル
【図１】
0003174977.tif 000003
【手続補正書】
【提出日】平成24年1月27日(2012.1.27)
【手続補正１】
【補正対象書類名】実用新案登録請求の範囲
【補正対象項目名】全文
【補正方法】変更
【補正の内容】
【実用新案登録請求の範囲】
【請求項１】
アセンダライン、ミーンライン、ベースライン、ディセンダラインの４本の水平線を１段として１ページに複数の段を配置した英習罫であって、ベースラインを青い導線としたことを特徴とする英習罫。
(57)【要約】      （修正有）【課題】偏平足、外反母趾、中足骨などの症状に適応するアーチパッドを熱可塑性樹脂シートと組み合わせて使用する事により、繰り返し調整が可能な足部矯正インソールを提供する。【解決手段】熱可塑性樹脂シート１０２をアーチパッド３０と併用して、ドライヤー等の熱により樹脂を軟化させ各人の足底にフィットさせた後冷却して固定化させることにより、足の骨格を正しく支え、足裏の３つのアーチを復元させる事が出来、また再調整が必要な時は再度加熱することにより繰り返し使用可能となる。【選択図】図２
0003174960.tif 000002
【実用新案登録請求の範囲】
【請求項１】
偏平足，外反母趾、中足骨などの症状に適応するアーチパッドと熱可塑性樹脂シートとを組み合わせた繰り返し調整が可能な足部矯正インソール。
【考案の詳細な説明】
【技術分野】
【０００１】  本考案は、偏平足、外反母趾、中足骨等の症状に適応するアーチパッドと熱可塑性樹脂シートを組み合わせて使用することにより繰り返し調整が可能な足部矯正インソールに関する。
【背景技術】
【０００２】  人間は２本足で歩行するため足、骨盤、脊柱に大きな負担をかけて生活し、一般的に約８０％の人が足に何らかの障害を持っていると言われている。
足に体重がかかった時、その圧力は足の軟組織に作用する。足圧の負荷が極限を越えたとき足底の皮膚の摩滅（タコ、ウオノメ）、足底筋膜炎、関節炎、捻挫などが生じる。足底には一般に３つのアーチ（内側の縦アーチ、外側の縦アーチと横アーチ）があり、これらのアーチは静止時や歩行時に体重を支え、足に掛かるショックを吸収し、膝や腰への衝撃を守るためのバネの役割をしている。
これらのアーチ構造が崩れたとき、足に大きな負担を掛ける。即ち足の内側の縦アーチが上がりすぎた足をハイアーチ、崩れて低下した足を偏平足と言う。
一般的には、これらのアーチの構造が崩れ何らかの症状が現れたとき、市販のアーチサポートインソールを購入したり、整形外科医師や専門の技師によって足底圧測定を行い、その評価結果に基づいて足底にフィットするようにオーダーメイドインソールを製作してもらい、足の疲れや痛みを軽減している。
【考案の開示】
【考案が解決しようとする課題】
【０００３】  市販のアーチサポートインソールの場合、パッドの位置や大きさが決まっており最初からインソールに装着されているため、各人の足底に合わず苦痛や不快感など症状の改善には程遠いものであった。また整形外科医師や専門の技師によって足底圧を測定しオーダーメイドのインソールを誂えた場合は、足底にフィットし苦痛が軽減され快適さが得られるが、一定期間を経過すると足の軟部組織が変化しフィット感が損なわれるため定期的なフォローアップとインソールの調整が必要となってくる。  しかしインソールの調整は難しいため殆どがもう一度インソールを製作しなければならず、非常に高価でありまた製作日数が長く掛かるのが現状であった。
【課題を解決するための手段】
【０００４】  考案者は先に実用新案『実願２００７−００９６２５』に於いて  使用者が各人の足底に合せてアーチパッドの装着位置を修正して貼り付けることが出来るインソールを考案したが、更に本考案は、熱可塑性樹脂をアーチパッドと併用して、ドライヤーなどの熱により樹脂を軟化させ、各人の足底にフィットさせた後冷却して固定化させることにより足の骨格を正しく支えて足裏の３つのアーチを復元させ、また再調整が必要とされる場合は、再度加熱を行うことにより繰り返し使用可能となる。
【考案の効果】
【０００５】  本考案は上記の課題を解決するものであり、繰り返し調整可能な熱可塑性樹脂をアーチパッドと併用する事により、足の骨格を正しく支え、最も大切な役割である足裏の３つのアーチをしっかりと保持し、また時間経過により調整が必要とされる場合も簡単に行うことが出来た。また本考案のインソールは薄く、女性のパンプスやハイヒールのような余裕のないぴったりした靴でも使用可能であった。
【考案を実施するための最良の形態】
【０００６】  以下、添付図面を参照して本考案の好適な実施の形態を詳細に説明する。尚下記の実施例は本考案の好適な実施例を示したに過ぎず、本考案の技術的範囲は、下記実施例そのものに何ら限定されるものではない。
【実施例】
【０００７】  図１は、本考案のインソールの裏面よりの分解透視図であり、図２はアーチパッド及びカバーシートを装着した時の裏面よりの分解透視図である。図４は、図３のＡ−Ａ部分の断面図、図５はインソールの立体図である。【０００８】  インソール（１００）の底部は窪み（１０１）があり熱可塑性樹脂シート（１０２）をこの位置に嵌め込んで使用する。更に偏平足、外反母趾、中足骨等の症状に応じた位置にアーチパッド（３０）を付け、滑り止め効果のあるカバーシート（２００）を貼り付けて使用する。
熱可塑性樹脂シートは９０℃以下の熱で軟化する熱可塑性樹脂を単独で使用するか、又は布地に含浸したものを使用してドライヤーの熱で軟化させ足底の形状にフィットさせた後冷却固化させる。再調整の必要が生じた時は繰り返し熱を加える事により使用可能となる。
【図面の簡単な説明】
【０００９】
【図１】  インソールの分解透視図
【図２】  アーチパッド及びカバーシート装着後のインソールの分解透視図
【図３】  インソールのアーチ部分の立体図
【図４】  図３のＡ−Ａ部分の断面図
【図５】  インソールの立体図
【符号の説明】
【００１０】  ３０      アーチパッド
１００      インソール
１００ａ    アーチ
１０１      窪み
１０２      熱可塑性樹脂シート
２００      カバーシート
【図１】
0003174960.tif 000003
【図２】
0003174960.tif 000004
【図３】
0003174960.tif 000005
【図４】
0003174960.tif 000006
【図５】
0003174960.tif 000007
【手続補正書】
【提出日】平成24年1月25日(2012.1.25)
【手続補正１】
【補正対象書類名】実用新案登録請求の範囲
【補正対象項目名】全文
【補正方法】変更
【補正の内容】
【実用新案登録請求の範囲】
【請求項１】
ドライヤー等の熱により軟化する熱可塑性樹脂をインソールの裏面凹部に装着することにより足底の形状にフイットし、再加熱により繰り返し調整が可能な足部矯正インソール。
(57)【要約】      （修正有）【課題】チューブからジャムを押し出すことによりパンにつける時間と手間を節約できる容器を提供する。【解決手段】容器の本体を弾力性のある部材とし、内部に食材を入れる。【選択図】図１
0003174952.tif 000002
【実用新案登録請求の範囲】
【請求項１】
本体が弾力性のある部材でできた容器
【請求項２】
上記の容器に食材を入れ、本体を押す（圧迫を加える）ことにより中身を取り出し、時間を節約し、手間を省くことを特徴とする。
【考案の詳細な説明】
【技術分野】
【０００１】  本考案は果実等を加工したジャムを入れる容器に関する。
【背景技術】
【０００２】  従来、ジャム類はガラス製などのビン容器に入いっていた。
【考案の開示】
【考案が解決しようとする課題】
【０００３】  ビンに入いっているジャムは取り出すためにはスプーンやヘラなどを使わなければならず時間や手間がかかる。
【課題を解決するための手段】
【０００４】  ジャムをチューブ型容器に入れて押し出すようにして中身を取り出す。
【考案の効果】
【０００５】  ジャムを取り出すために用具を使わずに手で押すだけなので時間を節約し、手間を省くことができる。
【考案を実施するための最良の形態】
【０００６】  チューブのように本体部分に弾力性があり、手で押すことにより中に入いっているジャムが出てくることを要する。
【実施例】
【０００７】  チューブに入いっている歯みがき粉の例のようなチューブ型容器が最適である。【０００８】  しかしながら本考案の範囲は、これに限定されるものではない。手で押し出せる形状と機能を有していれば、どのような容器でも可能である。【０００９】  また、中に入れるものはジャムに限定されるものではない。例えばチーズ、ピーナッツクリーム等、状況に応じて適宜選択されるものである。
【産業上の利用可能性】
【００１０】  本考案は、果実など加工し製造、販売する産業分野で利用することができる。
【図面の簡単な説明】
【００１１】
【図１】［図１］、［図２］共にフタ（キャップ）を外し、又は開け本体を押して中に入いっている食材を取り出す。
【図２】［図１］、［図２］共にフタ（キャップ）を外し、又は開け本体を押して中に入いっている食材を取り出す。
【符号の説明】
【００１２】１、キャップ（フタ）
２、本体
【図１】
0003174952.tif 000003
【図２】
0003174952.tif 000004
【手続補正書】
【提出日】平成23年10月15日(2011.10.15)
【手続補正２】
【補正対象書類名】実用新案登録請求の範囲
【補正対象項目名】請求項２
【補正方法】変更
【補正の内容】
【請求項２】
容器内部に食材を入れたことを特徴とする請求項１に記載の容器を、押したり圧迫を加えることにより中身を取り出し、時間を節約し、手間を省くことを特徴とする容器。
【手続補正書】
【提出日】平成24年1月25日(2012.1.25)
【手続補正１】
【補正対象書類名】実用新案登録請求の範囲
【補正対象項目名】全文
【補正方法】変更
【補正の内容】
【実用新案登録請求の範囲】
【請求項１】
本体が弾力性のある部材でできた容器
【請求項２】
容器内部に食材を入れたことを特徴とする請求項１に記載の容器。
(57)【要約】      （修正有）【課題】冷蔵庫の扉を開閉するたびに流出する冷気を、少しでも減らす節電の為の収納容器を提供する。【解決手段】冷蔵庫の収納柵に引き出し可能な構造にし、収納容器の側面の壁の高さを、冷蔵庫の収納柵の間隔より、やや低くし、出し入れ可能に構成した。冷蔵庫の扉を開閉するたびに、出て行く冷気を、収納容器を設置する事により、冷気を逃がさない事が出来、大きな節電につながる。【選択図】図３
0003174957.tif 000002
【実用新案登録請求の範囲】
【請求項１】
冷蔵庫の収納柵に引き出し可能な構造にし、収納容器の側面の壁の高さを、冷蔵庫の収納柵の間隔より、やや低くし、出し入れ可能に構成した収納容器。
【請求項２】
各家庭で使用する冷蔵庫は、サイズが、まちまちな為  収納容器をスライド式にし、巾を変える事が可能な構造にした、収納容器。
【考案の詳細な説明】
【技術分野】
【０００１】  本考案は冷蔵庫の扉を開閉するたびに流出する冷気を、少しでも減らす為、大きな節電に関する装置である。【０００２】  如何にすれば冷気流出を防止できるかを考案した、
【考案が解決しようとする課題】
【０００３】  扉を開いている間に、暖たかい空気より、重い冷気が、冷蔵庫内より外に逃げて行く、この流出する冷気を、いかに防止するかが課題である。
【課題を解決する為の手段】
【０００４】  本考案は、冷蔵庫の中に、冷気を貯める為の収納容器を設置する事により、冷気の流出を防止しようとするものである。
【考案の効果】
【０００５】  本考案により、冷蔵庫の扉を開いている間に、流出する冷気をより少なくする事が出来た。
【図面の簡単な説明】
【０００６】
【図１】  冷蔵庫内の冷気を貯める為の容器である。
【図２】  冷蔵庫内の大きさにより容器をスライドさせ大きさを変えた図。
【図３】  冷蔵庫の中に容器を設置した正面から見た図。
【図４】  冷蔵庫の中に容器を設置した側面から見た図。
【考案を実施する為の形態】
【０００７】（図１）は冷蔵庫内の冷気を逃がさない為の、収納容器である。
１は、収納容器の内側になる部分。
２は、収納容器の外側になる部分。
（図２）は、冷蔵庫内の必要に応じて、収納容器をスライドさせ、巾を変える構造とした容器である。
（図３）は、冷蔵庫内に容器を設置し扉を開き、正面から見た図である。
４は、冷蔵庫の柵板。
５は、容器をスライドさせ、巾を広くした図。
６は、容器をスライドさせ、巾を狭くした図。
※  必要に応じて、冷蔵庫内に、複数固設置する。
扉を開いた時、容器内の物品が確認できるように少なくとも、容器の壁面全体を透明にする。
容器の深さは、冷蔵庫内の柵の間隔より、やや低くする。
（図４）は、冷蔵庫内に容器を設置した時の側面から見た図である。
冷蔵庫内に容器を設置した時の、右側が扉側、左が冷蔵庫の奥になる部分。
【図１】
0003174957.tif 000003
【図２】
0003174957.tif 000004
【図３】
0003174957.tif 000005
【図４】
0003174957.tif 000006
【手続補正書】
【提出日】平成24年1月27日(2012.1.27)
【手続補正１】
【補正対象書類名】実用新案登録請求の範囲
【補正対象項目名】全文
【補正方法】変更
【補正の内容】
【実用新案登録請求の範囲】
【請求項１】
冷蔵庫内の収納棚に出し入れ可能な又収納容器に入れる物の量に応じて収納容器の幅を変える事が可能な構造にした収納容器であって、前記収納容器は左側面が開放された右側箱状部材に対し右側面が開放された左側箱状部材が右側箱状部材内にてスライド可能に組み合わされてなり、さらに収納容器側面の壁の高さを収納棚の間隔よりやや低くした事を特徴とする収納容器。
(57)【要約】      （修正有）【課題】携帯性をよくして製作後使い捨てにでき、残り物のコンクリートにて誰でも製作することができ材料費は安価に済む型枠を提供する。【解決手段】ビニール製型枠とし、折りたたむことが出来、持ち運びしやすく、使い捨てとすることができる。車止め形状の場合、ビニール型枠を立ててぶら下げた状態で、小口よりコンクリートを流し込み、内、外部より気泡、及びムラをなくすため、振動を加えて形成を整え、状態に応じて硬化を待つ。【選択図】図１
0003174951.tif 000002
【実用新案登録請求の範囲】
【請求項１】
ビニール製の、コンクリート用型枠としコンクリートを流し込んで、車止めなどを製作することができることを、特徴とする、ビニール型枠。
【考案の詳細な説明】
【技術分野】
【０００１】  本考案は、車止めなど、コンクリート製品を作る際、鉄製又は、木製が、が主である。
【背景技術】
【０００２】  簡易的にコンクリート製品を作る為に考案しました。【０００３】
【先行技術文献】
【特許文献】
【０００４】
【特許文献１】特開  ２０１１−２０３１１
【考案の概要】
【考案が解決しようとする課題】
【０００５】  解決しようとする問題点は、簡単に又、安価に、製品を作ることである。
【課題を解決するための手段】
【０００６】  ビニール型枠とし、携帯性を、よくする。
【考案の効果】  ビニール型枠とし、携帯性を、よくして製作後、使い捨てにでき、残り物のコンクリートにて誰でも製作することができ材料費は安価に済む。
【図面の簡単な説明】
【０００７】
【図１】「コンクリート型枠の使用状況の説明図である。」
【考案を実施するための形態】
【０００８】  車止め形状の場合、ビニール型枠を立ててぶら下げた状態で、小口よりコンクリートを流し込み、内、外部より気泡、及びムラをなくすため、振動を加えて形成を整え、状態に応じて、硬化を待つ。
【符号の説明】
【０００１０】  ａ，ビニール型枠、内部に間隔保持ひも
ｂ，小口ふた、及び、ぶら下げ用、持ち運び用、ひも、
【図１】
0003174951.tif 000003
【手続補正書】
【提出日】平成23年8月3日(2011.8.3)
【手続補正１】
【補正対象書類名】実用新案登録請求の範囲
【補正対象項目名】全文
【補正方法】変更
【補正の内容】
【実用新案登録請求の範囲】
【請求項１】
ビニール製の、コンクリート用型枠とし立てるようにし、ビニール開口部に付帯のひもを有することで、ぶら下げ、又、ビニール内部に間隔保持ひもを、有することで形成を補助し、コンクリートを流し込んで、重力による自重により、成形手間を省き、車止めなどを製作することができることを、特徴とする、ビニール型枠。
【手続補正書】
【提出日】平成23年10月21日(2011.10.21)
【手続補正１】
【補正対象書類名】実用新案登録請求の範囲
【補正対象項目名】全文
【補正方法】変更
【補正の内容】
【実用新案登録請求の範囲】
【請求項１】
コンクリート用型枠を、ビニール製とする、ビニール型枠。
【請求項２】
上記記載の、型枠に、１方向のみに開口部とぶら下げ用ひもを有し、開口部よりコンクリートを、流し込んで、ぶら下げたまま、自重により形成する、請求工１記載の、ビニール型枠。
【請求項３】
上記記載の、型枠、内部に間隔保持ひもを有することで広がり形成を調節し、コンクリートを流し込んで、重力による自重により、成形手間を省き、車止めなどを製作することができることを、特徴とする請求工１〜２記載の、ビニール型枠。
【手続補正書】
【提出日】平成24年1月27日(2012.1.27)
【手続補正１】
【補正対象書類名】実用新案登録請求の範囲
【補正対象項目名】全文
【補正方法】変更
【補正の内容】
【実用新案登録請求の範囲】
【請求項１】
長方形で箱型の型枠で、１方向のみに開口部とぶら下げ用ひもを有し、開口部よりコンクリートを、流し込んで、ぶら下げたまま、自重により形成する、ビニール型枠。
【請求項２】
上記記載の、型枠、内部に間隔保持ひもを有することで広がり形成を調節し、コンクリートを流し込んで、重力による自重により、成形手間を省き、車止めなどを製作することができることを、特徴とする請求項１記載の、ビニール型枠。
(57)【要約】      （修正有）【課題】生花等の植物と一体化した装飾が可能であり、かつ扱いが容易な植物用装飾物を提供する。【解決手段】生花用装飾物１は、例えば、生花３の茎５側を囲い込んで保持する第１装飾部１１と、人形の頭部をイメージした第２装飾部１３と、人形の胴体部をイメージした第３装飾部１５を有する。第１装飾部１１、第２装飾部１３および第３装飾部１５を分離した状態で袋などに入れられて販売される。【選択図】図１
0003174214.tif 000002
【実用新案登録請求の範囲】
【請求項１】
植物に装着される装飾品であって、
植物の茎が貫通する貫通孔
を有する植物用装飾物。
【請求項２】
前記貫通孔に前記茎を貫通した状態で前記茎に沿った移動を規制する移動規制手段
をさらに有する請求項１に記載の植物用装飾物。
【請求項３】
各々が前記貫通孔を備えた複数の装飾部を組み合わせて構成された
請求項１または請求項２に記載の植物用装飾物。
【考案の詳細な説明】
【技術分野】
【０００１】
本考案は、植物等を装飾する装飾物に関する。
【背景技術】
【０００２】
従来のアレンジメント装飾用のピックは、オーナメントに長い針金等の尖ったものを差し込む物が多い。
【考案の開示】
【考案が解決しようとする課題】
【０００３】
しかしながら、上述した従来のアレンジメント装飾用のピックは、先端が尖っているため、取り扱いに注意を要する。また、植物と一体化したデザインにはなっていない。
【０００４】
上述した従来技術の問題点を解決し、上述した目的を達成するため、生花等の植物と一体化した装飾が可能であり、且つ扱いが容易な植物用装飾物を提供することを目的とする。
【課題を解決するための手段】
【０００５】
上述した従来技術の問題点を解決し、上述した目的を達成するため、本考案の植物用装飾物は、植物に装着される装飾品であって、植物の茎が貫通する貫通孔を有する。
【０００６】
好適には、本考案の植物用装飾物は、前記貫通孔に前記茎を貫通した状態で前記茎に沿った移動を規制する移動規制手段をさらに有する。
【０００７】
好適には、本考案の植物用装飾物は、各々が前記貫通孔を備えた複数の装飾部を組み合わせて構成されている。
【考案の効果】
【０００８】
本考案によれば、生花等の植物と一体化した装飾が可能であり、且つ扱いが容易な植物用装飾物を提供することができる。
【図面の簡単な説明】
【０００９】
【図１】図１は本考案の実施形態に係る生花用装飾物の生花に装着した状態での正面図である。
【図２】図２は図１に示す生花用装飾物に形成された茎貫通孔を説明するための図である。
【図３】図３は図１に示す生花用装飾物の側面図である。
【図４】図４は図１に示す生花用装飾物の分解斜視図である。
【図５】図５は、本考案の生花用装飾物のその他の例を説明するための図である。
【考案を実施するための最良の形態】
【００１０】
以下、本考案の実施形態に係る生花用装飾物（アレンジメント装飾用のピック）を、図面を参照しながら説明する。
図１は本考案の実施形態に係る生花用装飾物１の生花に装着した状態での正面図、図２は図１に示す生花用装飾物１に形成された茎貫通孔を説明するための図、図３は図１に示す生花用装飾物１の側面図、図４は生花用装飾物１の分解斜視図である。
【００１１】
図１および図２に示すように、生花用装飾物１は、生花３の茎５に装着され、生花３と一体となって装飾効果を発揮する。
図３に示すように、生花用装飾物１は、例えば、生花３の茎５側を囲い込んで保持する第１装飾部１１と、人形の頭部をイメージした第２装飾部１３と、人形の胴体部をイメージした第３装飾部１５を有する。
【００１２】
図４に示すように、第１装飾部１１は、中央に開口部１１ａが形成され王冠をイメージした形状を有しており、図１および図２に示すように、生花用装飾物１を生花３に装着した状態で生花３の茎５側を囲い込むように位置し、生花３および茎５と一体となって装飾効果を発揮する。
【００１３】
第２装飾部１３は、図２に示すように、中心軸に略沿った茎貫通孔１３ａが形成されており、人形の頭部をイメージした形状をしている。
第３装飾部１５は、図２に示すように、中心軸に略沿った茎貫通孔１５ａが形成されており、人形の頭部をイメージした形状をしている。
【００１４】
生花用装飾物１は、図４に示すように第１装飾部１１、第２装飾部１３および第３装飾部１５を分離した状態で袋などに入れられて販売される。
【００１５】
生花用装飾物１のユーザは、例えば、生花用装飾物１を生花３および茎５に装着する際に、先ず、第１装飾部１１を図１に示す姿勢で第１装飾部１１の開口部１１ａに茎５を挿入して生花３の位置まで移動する。
次に、ユーザは、第２装飾部１３の茎貫通孔１３ａに茎５を貫通させて第１装飾部１１の位置まで移動する。
次に、ユーザは、第３装飾部１５の茎貫通孔１５ａに茎５を貫通させて第２装飾部１３の位置まで移動する。
【００１６】
開口部１１ａ，茎貫通孔１３ａ，１５ａのサイズは、取り付け対象の茎５の直径に応じて適宜決定される。
【００１７】
これにより、生花３および茎５に生花用装飾物１が装着される。
【００１８】
生花用装飾物１によれば、先端に尖った箇所がないため、安全あり、取り扱いが容易である。
また、生花用装飾物１によれば、生花３および茎５に直接取り付けられるため、生花３および茎５と一体となって装飾効果を発揮できる。生花用装飾物１を生花３および茎５に装着して展示することで、ユーザの購買意欲を喚起できる。
【００１９】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
例えば、上述した実施形態では、王冠をかぶった人形をイメージした形状を例示したが、それ以外に図５に示すようなハート型、筒状、板状等、形状は特に限定されない。
【００２０】
また、上述した実施形態では、第１装飾部１１、第２装飾部１３および第３装飾部１５の２つの装飾部を組み合わせたものを例示したが、２つ、あるいは４つ以上の装飾部を組み合わせたものでもよいし、１つの装飾部のみから構成されていてもよい。
【００２１】
また、第３装飾部１５の図中下側に第３装飾部１５が茎５に沿って下方に移動しないように、第３装飾部１５の移動を規制するクリップ等の移動規制手段を設けてもよい。
【産業上の利用可能性】
【００２２】
本考案は、例えば、生花などの花の装飾物に適用可能である。
【符号の説明】
【００２３】
１…生花用装飾物
３…生花
５…茎
１１…第１装飾部
１３…第２装飾部
１５…第３装飾部
【図１】
0003174214.tif 000003
【図２】
0003174214.tif 000004
【図３】
0003174214.tif 000005
【図４】
0003174214.tif 000006
【図５】
0003174214.tif 000007
(57)【要約】      （修正有）【課題】キャタピラの爪部分に抵抗板を取りつけることでキャタピラ型の水車としたキャタピラー方式水力発電機を提供する。【解決手段】地形に合った本体装置を作り、爪１はキャタピラに対して直角になり、爪２の所で水の抵抗を受ける。そしてキャタピラの動きに沿って移動して爪７で水の抵抗から外れ、抵抗板は寝るような形で爪１に戻る。前輪Ａの車軸は固定、後輪Ｂの車軸は、負荷に応じて上下運動、ガバナモーターに連動させてより強く力を必要とするときは下に下げることにより水の抵抗が増す。【選択図】図３
0003174270.tif 000002
【実用新案登録請求の範囲】
【請求項１】
図１．２の取付部
【請求項２】
後輪Ｂの上下運動
【請求項３】
双胴船の舳先可動
【考案の詳細な説明】
【技術の分野】
【０００１】  本考案は水に対して抵抗を増やし力強く発電する装置である。
【背景技術】
【０００２】  従来の水力発電には、キャタピラ方式はなかった。
【考案の概要】
［考案ガ解決しようとする課題］
【０００３】  従来のキャタピラーの爪は短く水の抵抗を受けられる程のものではない。
【課題を解決するための手段】
【０００４】  以上の技術課題を解決する本考案キャタピラー式発電機は、キャタピラー爪のところは取外し自在の構造にして抵抗板を取り付ける。その図は図１図２である。
【考案の効果】
【０００５】  地形に合った本体装置を作り図３の説明で爪１はキャタピラに対して直角になり爪２の所で水の抵抗を受ける、そしてキャタピラの動きにそうて移動して爪７で水の抵抗から外れ、抵抗板は寝るような形で１に戻る。
前輪Ａの車軸は固定、後輪Ｂの車軸は、負荷に応じて上下運動、ガバナモーターに連動させてより強く力を必要とするときは下に下げることにより水の抵抗が増す。
【図面の簡単な説明】
【０００６】
【図１】  キャタピラーへ取付け窪み
【図２】  抵抗板
【図３】  キャピラーの側面
【図４】  キャタピーの正面
【図５】  川面
【図１】
0003174270.tif 000003
【図２】
0003174270.tif 000004
0003174270.tif 000005
0003174270.tif 000006
【図３】
0003174270.tif 000007
【図４】
0003174270.tif 000008
【図５】
0003174270.tif 000009
【手続補正書】
【提出日】平成23年10月3日(2011.10.3)
【手続補正１】
【補正対象書類名】実用新案登録請求の範囲
【補正対象項目名】全文
【補正方法】変更
【補正の内容】
【実用新案登録請求の範囲】
【請求項１】
本考案は水に対して抵抗を増やし、力強く発電する装置で、従来の水力発電には、キャタピラー方式はなかった。
従来のキャタピラーの爪は短く水の抵抗を受けられる程のものではない。
以上の技術課題を解決する本考案キャタピラー式発電機は、キャタピラー爪のところは取り外し自在の構造にして抵抗板を組合せる。その図は図１・図２である。
地形に合った本体装置を作り図３の説明で爪１はキャタピラーに対して直角になり爪２の所で水の抵抗を受ける、そしてキャタピラーの動きに沿うて移動して爪７で水の抵抗から外れ、抵抗板は寝るような形で１に戻る。
前輪Ａの車軸は固定、後輪Ｂの車軸は、負荷に応じて上下運動、ガバナモーターに連動させてより強く、力を必要とするときは下に、下げることにより水の抵抗が増す。
【手続補正３】
【補正対象書類名】明細書
【補正対象項目名】０００６
【補正方法】変更
【補正の内容】
【０００６】
【図１】キャタピラーへ組合せ窪み
【図２】抵抗板
【図３】キャタピラーの側面
【図４】キャタピラーの正面
【図５】川面
【手続補正４】
【補正対象書類名】図面
【補正対象項目名】全図
【補正方法】変更
【補正の内容】
【図１】
0003174270.tif 000010
【図２】
0003174270.tif 000011
【図３】
0003174270.tif 000012
【図４】
0003174270.tif 000013
【図５】
0003174270.tif 000014
【手続補正書】
【提出日】平成23年12月9日(2011.12.9)
【手続補正１】
【補正対象書類名】実用新案登録請求の範囲
【補正対象項目名】全文
【補正方法】変更
【補正の内容】
【実用新案登録請求の範囲】
【請求項１】
キャタピラー方式水力発電機は、水に対して抵抗を増やし、力強く発電する装置で、キャタピラー爪のところを取り外し自在の構造にして抵抗板を組合せ、地形に合った本体装置を作り、抵抗板がキャタピラーに対して直角方向と、沿う方向との間で、取付角度可変に取り付けられ、抵抗板がキャタピラー下方に位置するときに、キャタピラーに対して直角方向となり水の抵抗を受け、抵抗板がキャタピラー上方に位置するときに、キャタピラーに沿う方向となり水の抵抗から外れ、抵抗板は寝るような形で戻る、キャタピラーの前輪の車軸は固定され、後輪の車軸は、負荷に応じて上下に運動され、ガバナモーターに連動されてより強く力を必要とするときは、下に下げることにより抵抗が増すことを特長するキャタピラー方式発電機。
(57)【要約】      （修正有）【課題】楽器本体に加工を加えることなく、本物品を取り付ける事のみで楽器演奏時の音質、音響効果の向上を図る弦楽器用テールピースを提供する。【解決手段】楽器演奏時に発生する弦の振動を利用し、テールピースに取り付けた音叉が共鳴する事で、楽器本体の振動を補助し音質の向上が見込まれる。また、音程の違う音叉を用意し個々の楽器の個体差に合わせて最良の音叉を選ぶ事が出来る。【選択図】図２
0003174269.tif 000002
【実用新案登録請求の範囲】
【請求項１】
ヴァイオリン、ヴィオラ、チェロ、コントラバス等の弦楽器用テールピースに取り付ける音叉
【請求項２】
音叉付き弦楽器用テールピース
【考案の詳細な説明】
【技術分野】
【０００１】弦楽器用テールピース
【背景技術】
【０００２】弦楽器の音響効果を向上させる部品
【考案の開示】
【考案が解決しようとする課題】
【０００３】従来は弦を支持するのを主な目的とした部品であった。
演奏時の弦による振動を利用しテールピースに取り付けた本考案の音叉を共鳴させる事により、楽器の音響的な振動を促し音質向上、音の立ち上がり速度の向上、倍音の増幅を図る事が出来る。
【課題を解決するための手段】
【０００４】楽器本体に加工を加える事が無く、本考案を取り付けることのみに依って楽器の音質向上を図る。また本考案は音程の違う音叉を用意し個々の楽器の個体差に合わせて最良の音叉を選ぶ事が出来る。
【考案の効果】
【０００５】弦楽器演奏時の弦による振動を利用しテールピースに取り付けた音叉を共鳴させる事により、楽器本体の振動を促し、音質向上と演奏上における弓の操作性向上を図る。
【図面の簡単な説明】
【０００６】
【図１】弦楽器にテールピースを取り付けた正面及び本考案を取り外した拡大図
【図２】本考案の音叉をテールピースの裏側に削り加工した上取り付けた拡大図
【考案を実施するための最良の形態】
【０００７】従来のテールピース同様、本考案のテールピースを従来通り装着する。
【図１】
0003174269.tif 000003
【図２】
0003174269.tif 000004
【手続補正書】
【提出日】平成23年9月8日(2011.9.8)
【手続補正１】
【補正対象書類名】実用新案登録請求の範囲
【補正対象項目名】全文
【補正方法】変更
【補正の内容】
【実用新案登録請求の範囲】
【請求項１】
テールピースは、ヴァイオリン、ヴィオラ、チェロ、コントラバス等の弦楽器における弦を取り付ける部品で、楽器本体最下部のエンドピンから紐、もしくはワイヤー等で取り付けられる。楽器に取り付けられる部分は横幅が狭く、弦を取り付ける部分に向かって幅が広くなる板状の部品である。弦楽器の４本の弦を支え、糸巻きで巻き上げ、駒を取り付けられる様、テールピースが装着される。そのテールピースの平な裏側を掘り込み、音叉が振動出来る溝状の空間を確保したうえ、その溝の中に音叉をネジ等で取り付ける。テールピースの裏側に音叉を取り付けた形状を有する弦楽器用音叉付きテールピース。
【手続補正書】
【提出日】平成23年12月16日(2011.12.16)
【手続補正１】
【補正対象書類名】実用新案登録請求の範囲
【補正対象項目名】全文
【補正方法】変更
【補正の内容】
【実用新案登録請求の範囲】
【請求項１】
ヴァイオリン、ヴィオラ、チェロ、コントラバス等の弦楽器用テールピースの裏側に音叉を取り付けた形状を有する弦楽器用音叉付きテールピース。
(57)【要約】      （修正有）【課題】足及び膝を同時に温めることで、体全体が温まり室温の設定を下げて、省エネルギー対策となる膝かけ足湯たんぽを提供する。【解決手段】湯たんぽ容器の外側は５面に厚さ５ミリの発泡ウレタン（銀マット）５で保温し、厚さ６ミリの膝かけ布団（又は毛布）７を容器の外周に取り付けて外気を遮断し、保温効果をたかめた構造とする。内側の保温材は６面保温し、湯たんぽの上面にも断熱材を取り付けて直接湯たんぽの高温度が足に当たらないような構造とする。また、膝かけと湯たんぽ容器をファスナー６で一体化とした構造にして、取り外し可能な構造とし、膝かけもファスナー８で開閉できる構造とし、椅子に座るとき膝かけを開いて、容易に座る事ができる構造にする。【選択図】図２
0003174291.tif 000002
【実用新案登録請求の範囲】
【請求項１】
省エネルギー対策を目的とした、湯たんぽの保温容器と膝かけを一体化としたことを特徴とした膝かけ足湯たんぽを提供する。
【考案の詳細な説明】
【技術分野】
【０００１】一般家庭で椅子生活の際に冬場足元の冷え対策と省エネルギーに対応。【０００２】会社の事務作業等で足元の冷え対策と省エネルギーに対応。
【背景技術】
【０００３】足のみを温めるこたつでは室内に掘りこたつを作る必要がある。【０００４】足元を温めるヒーター付きの靴があるが膝が冷えてしまう。【０００５】膝かけ単体では電気毛布、等がある。
【先行技術文献】
【０００６】
【特許文献１】特  ２００６−２４０８０９足用の湯たんぽこたつ。
【特許文献２】特  ２００３−３８８４３４湯たんぽ
【考案の概要】
【考案が解決しようとする課題】
【０００７】電気及び火器を使用しないで足及び膝を同時に長時間温める事が出来ることを目的とする。
【課題を解決するための手段】
【０００８】湯たんぽを入れる容器に、保温材を取り付けて温度を長時間維持する事が出来ること。【０００９】湯たんぽを入れた保温容器と膝かけを一体化し足及び膝を同時に温める事が出来ること。【００１０】膝かけは前側が解放できる構造で、椅子に座るときは開いて座れる構造とする。【００１１】膝かけは椅子に座った状態で簡単にファスナーを前側で閉じる事ができる構造とする。
【考案の効果】
【００１２】湯たんぽを入れる容器の外側及び内側に保温材を取り付けて、膝かけを容器の外側の保温材に直接取り付ける事で保温効果が長時間はかれた。【００１３】足及び膝を同時に温めることで、体全体が温まり室温の設定を下げて、省エネルギー対策となった。
【図面の簡単な説明】
【００１４】
【図１】湯たんぽを入れる容器の内側及び外側を保温材で保温し、その中に市販されている湯たんぽを入れた構造を表す。
【図２】膝かけ布団と湯たんぽ容器を一体化し、膝かけは前側でファスナーにて開閉出来る構造を表す。
【実施例】
【００１５】１、湯たんぽ容器の外側は５面に厚さ５ミリの発泡ウレタン（銀マット）で保温し、厚さ６ミリの膝かけ布団（又は毛布）を容器の外周に取り付けて外気を遮断し、保温効果をたかめた構造とした。【００１６】２、内側の保温材は６面保温し、湯たんぽの上面にも断熱材を取り付けて直接湯たんぽの高温度が足に当たらないような構造とした。【００１７】３、膝かけと湯たんぽ容器をファスナーで一体化とした構造にして、取り外し可能な構造とした。【００１８】４、膝かけもファスナーで開閉できる構造とし、椅子に座るとき膝かけを開いて、容易に座る事ができる構造にした。
【符号の説明】
【００１９】１、      市販されている湯たんぽ。
２、      湯たんぽを入れる容器。
３、      容器の外側保温材（発泡ウレタン又は銀マット）。
４、      容器の内側保温材（発泡ウレタン又は銀マット）。
５、      容器の上面保温材（発泡ウレタン又は銀マット）。
６、      容器と膝かけを接続するファスナー。
７、      膝かけ布団又は毛布。
８、      膝かけを閉じるファスナー。
【図１】
0003174291.tif 000003
【図２】
0003174291.tif 000004
【手続補正書】
【提出日】平成23年12月14日(2011.12.14)
【手続補正１】
【補正対象書類名】実用新案登録請求の範囲
【補正対象項目名】全文
【補正方法】変更
【補正の内容】
【実用新案登録請求の範囲】
【請求項１】
省エネルギー対策を目的とした、湯たんぽの保温容器外周に膝かけを取り付けて、膝かけと湯たんぽ容器を一体化としたことを特徴とした、膝かけ足湯たんぽ。
(57)【要約】      （修正有）【課題】他人と識別しやすくするための携帯端末を提供する。【解決手段】従来の端末と違い、自由な形態の端末にして、国、県、魚、花、山等の形態をした端末を選択できるようにする。また、携帯端末には自立できるよう折りたたみの足をつける。従来のような色やストラップ等の飾り以上に他人所有と自分所有の端末との識別がつくようになるとともに、個々人の様々な趣向を満たすことができる。また、端末（パソコン、形態電話、携帯音楽プレーヤー、スマートフォン、テレビ）等の需要を喚起できる。【選択図】図１
0003174295.tif 000002
【実用新案登録請求の範囲】
【請求項１】
従来の長方形以外のユニークな端末（パソコン、携帯電話、携帯音楽プレーヤー、スマートフォン、テレビ）等の識別が一目でできるようにするため、様々な形状、例えば国や県、山や魚貝、花シリーズなどの端末を作る。
県シリーズ：例：北海道や鹿児島の形をした端末
国シリーズ：例：ブラジルやインドの形をした端末
山シリーズ：例：富士山や槍ヶ岳の形をした端末
魚介シリーズ：例：沖縄のハリセンボンの形をした端末
花シリーズ：例：黒姫山のコスモスの形をした端末
【請求項２】
折りたたみ式の脚等を装着することにより片手で操作できるようにする。
【請求項３】
端末の形状は一目見て北海道、鹿児島、富士山だとわかる程度にデフォルメされている場合がある。
【考案の詳細な説明】
【技術分野】
【０００１】  本考案は端末（パソコン、携帯電話、携帯音楽プレーヤー、スマートフォン、テレビ）等を他人と識別しやすくするための端末等の外形に関する
【背景技術】従来の端末（パソコン  携帯電話、携帯音楽プレーヤー、スマートフォン、テレビ）等は殆どが長方形で、他人の物との識別が一目でできにくい。また、携帯端末は両手での操作が必要である。
【考案が解決しようとする課題】
【０００２】１．  従来の端末（パソコン、携帯電話、携帯音楽プレーヤー、スマートフォン、テレビ）等は色、またストラップ等で所有者の識別をしているが、識別が一目でできにくい。
２．  携帯端末（携帯電話、携帯音楽プレーヤー、スマートフォン等）については折りたたみ型の脚を装着することにより片手で操作できるようにする
【課題を解決するための手段】
【０００３】１．  従来の長方形の端末とは違い、自由な形態の端末にして、出身地または好きな国、県、魚、花、山等の形態をした端末（パソコン、携帯電話、携帯音楽プレーヤー、スマートフォン、テレビ）を選択できるようにする。
２．  携帯端末（携帯電話、携帯音楽プレーヤー、スマートフォン等）には自立できるように折りたたみ式の足をつける
【考案の効果】
【０００４】１．  従来のような色やストラップ等の飾り以上に他人所有と自分所有の端末との識別がつくようになるとともに、個々人の様々な趣向を満たすことができる。また、端末（パソコン、形態電話、携帯音楽プレーヤー、スマートフォン、テレビ）等の需要を喚起できる
２．  故郷の国、県、山、草木、魚、花がいつも身近にあることで故郷のことを思い出す
３．  携帯端末（携帯電話、携帯音楽プレーヤー、スマートフォン等）については折りたたみ型の脚を装着することにより片手で操作できるようになり、利便性が増す
【考案を実施するための形態】
従来の端末（パソコン、形態電話、携帯音楽プレーヤー、スマートフォン、テレビ）等の外形を国、県、魚、花、山等自由な形態にする。
【図面の簡単な説明】
【０００５】
【図１】県シリーズの一例として北海道の形をした端末（スマートフォン）を示した平面図である。
【図１】
0003174295.tif 000003
【手続補正書】
【提出日】平成23年12月16日(2011.12.16)
【手続補正１】
【補正対象書類名】実用新案登録請求の範囲
【補正対象項目名】全文
【補正方法】変更
【補正の内容】
【実用新案登録請求の範囲】
【請求項１】
外形が国、県、山、魚、貝、花の形態であることを特徴とする携帯端末。
【請求項２】
折りたたみ式の脚を装着することを特徴とする請求項１記載の携帯端末。
(57)【要約】      （修正有）【課題】方向を気にすることなく給油場に進入し給油可能な給油口を提供する。【解決手段】自動車の右側面・左側面に１箇所ずつ合計２箇所に給油可能な給油口を装着したことにより、従来の１か所給油口自動車の不具合を解消し、左右方向性に関係なく給油位置に進入することを可能にした自動車の右側面・左側面から給油可能な給油口である。【選択図】図１
0003174292.tif 000002
【実用新案登録請求の範囲】
【請求項１】
自動車の右側面・左側面に１箇所ずつ合計２箇所に給油口を装着した事を特徴とする右側面・左側面から給油可能な給油口である。
【考案の詳細な説明】
【技術分野】
【０００１】給油にあたって左右関係なくスムーズに給油できることを可能にした自動車の右側面・左側面から給油可能な給油口に関すること。
【背景技術】
【０００２】従来の車は右か左かどちらかに１箇所しか給油口がなかったため、方向を確認して給油場に進入していた。
【考案の概要】
【考案が解決しようとする課題】
【０００３】昨今の給油場の進入形態が一方通行形式が多いため、右か左かどちらかに１箇所しか給油口がない従来の自動車は給油場に進入する際、方向を確かめなければならなかった。また、給油時に並んで給油待ちをして順番が来たとき、給油終了車が出て空いた場所が自動車の給油口と逆方向の場所が空いた場合、反対方向から進入する又はバックをして方向を変えるなど危険も伴い、時間を費やし、人と人との感情的な危機に発展しかねない不具合が生じる。本考案は右側面・左側面に１箇所ずつ合計２箇所に給油口を装着したことにより前述の不具合を解消しようとするものである。
【課題を解決するための手段】
【０００４】本考案は自動車の右側面・左側面に１箇所ずつ合計２箇所に給油口を装着したことにより左右方向に関係なく給油場に進入することができ、危険も少なく、時間も無駄なくスムーズに給油でき、従来の不具合を解決している。
【考案の効果】
【０００５】本考案は、自動車の右側面・左側面に１箇所ずつ合計２箇所に給油口を装着したことにより左右方向に関係なく給油場所に進入することができ、危険も少なく、時間も無駄なくスムーズに給油できる。
【図面の簡単な説明】
【０００６】
【図１】本考案の自動車の右側面・左側面から給油可能な給油口の実施例を示す右側面図である。
【図２】本考案の自動車の右側面・左側面から給油可能な給油口の実施例を示す左側面図である。
【考案を実施するための形態】
【０００７】自動車の右側面・左側面に１箇所ずつ、合計２箇所に装着したことにより左右両面からの給油が可能になる。
【実施例】
【０００８】以下、添付図面に従って一実施例を説明する。自動車本体１の右側面給油口Ａと左側面給油口Ｂから成る。
【符号の説明】
【０００９】１  自動車本体
Ａ  右側面給油口
Ｂ  左側面給油口
【図１】
0003174292.tif 000003
【図２】
0003174292.tif 000004
【手続補正書】
【提出日】平成23年12月13日(2011.12.13)
【手続補正１】
【補正対象書類名】実用新案登録請求の範囲
【補正対象項目名】全文
【補正方法】変更
【補正の内容】
【実用新案登録請求の範囲】
【請求項１】
右側面・左側面に１箇所ずつ合計２箇所に給油口を装着した事を特徴とする右側面・左側面から給油可能な自動車。
【手続補正３】
【補正対象書類名】明細書
【補正対象項目名】０００１
【補正方法】変更
【補正の内容】
【０００１】給油にあたって左右関係なくスムーズに給油できることを可能にした右側面・左側面から給油可能な自動車に関すること。
【手続補正４】
【補正対象書類名】明細書
【補正対象項目名】０００６
【補正方法】変更
【補正の内容】
【０００６】
【図１】本考案の右側面・左側面から給油可能な自動車の実施例を示す右側面図である。
【図２】本考案の右側面・左側面から給油可能な自動車の実施例を示す左側面図である。
(57)【要約】      （修正有）【課題】振動時に取付けビスの抜けない家具転倒防止金具を提供する。【解決手段】金具本体にバネ鋼板を用い一体成形し本体中間にループ部分を設け、ループ部分のたわみの反復作用により振動時の衝撃を吸収し緩和する。【選択図】図１
0003174297.tif 000002
【実用新案登録請求の範囲】
【請求項１】
本考案は、金具本体にバネ鋼板を用い一体成形し本体中間にループ部分を設け振動時にループ部分での、たわみ反復作用により衝撃を吸収し緩和することが出来る。この事により振動時に取付けビスの抜けない家具転倒防止金具となる。
【請求項２】
本考案は、図３に本体成形の形状を現し、正面より壁面フ゜レート幅はループ部分幅よ
りビス穴部分が広くしてあることを特徴とする。この事により壁面フ゜レートにビスを取付ける事が容易となる。
【考案の詳細な説明】
【技術分野】
【０００１】
本考案は、振動時にタンス、家具等の転倒を防止する衝撃吸収部分を設けた転倒防止金具に関するものである。
【背景技術】
【０００２】
日本は地震が多発している。振動時に建物内の家具転倒による圧死や入り口を塞がれ、逃げ遅れの原因になっている。阪神大震災の経験を踏まえ様々な家具転倒防止グッズが考案、販売されている。
【考案の概要】
【考案が解決しようとする課題】
【０００３】
既存の転倒防止グッズは壁面と家具に金具を用いビス等で固定するもの、塩ビ樹脂板とクッション材を組み合わせ粘着剤で固定するものなど様々である。震災時、前記の金具直付けの場合応力不足によりビスの抜ける場合がある。粘着剤での固定は年々粘着力が劣化し5年を効果の目安としているものが多い。転倒防止グッズは長期安定した転倒防止機能を保持する必要がある。
【課題を解決するための手段】
【０００４】
本考案は、転倒防止金具の素材に、弾性力のあるバネ鋼板を用い衝撃吸収のためにループ部分を設け一体加工を行う。本金具を用い壁面と家具を連結することにより、振動に対しループ部分が衝撃を吸収し、取付けビスの抜けない家具転倒防止金具の提供ができ、問題点を解決している。
【考案の効果】
【０００５】
上述の様に、本考案の転倒防止金具は、取付け方法は従来のＬ形金具と同様でビス等による固定であるが、本考案のバネ鋼板をループ状に一体加工する事によりループ部分での、たわみの反復作用により衝撃を吸収する。固定ビスへの負荷が低減しビスが抜けることが無くなり家具等は転倒しない。振動時に家具転倒による圧死や逃げ道を塞がれる事を防止できる。
【図面の簡単な説明】
【０００６】
【図１】本考案の金具取付けの実施例を示す側面図である。
【図２】本金具の金具取付けの実施例を示す平面図である。
【図３】本金具を示す正面図である。壁面フ゜レートは家具フ゜レートよりビス穴分、幅広である。
【図４】本考案の金具取付けの実施例を示す納まり図である。
【考案を実施するための形態】
【０００７】
ステンレス製等のバネ鋼板を（図２）に示し、家具フ゜レート、ループ部分、壁面フ゜レートとな
るものを一体に裁断し、家具フ゜レート、壁面フ゜レート部分には必要なビス穴をあける。後にループ部分の曲げ加工と壁面フ゜レートの折り曲げ加工をする事により、本考案の金具は完成する。本金具は取付け時の仮止め用として、両フ゜レート取付け面に両面テープを貼り付けても良い。
【０００８】
本体成形の形状を（図３）に示し、正面より壁面フ゜レート幅はループ部分幅よりビス穴部分が広くしてある。この事により壁面フ゜レートにビスを取付ける事が容易となる。
【実施例】
【０００９】
以下、添付図面（図１）（図４）において実施例を説明する。（図１）は金具本体と実施例を現し、家具に、2家具フ゜レートをビスにより取付ける。壁面には、3壁面フ゜レートを同様に取付ける。両フ゜レートを固定することにより、4ループ部分が衝撃吸収効果を発揮することができる。（図４）は建物内部を現し、本金具実施例の収まり図である。
【符号の説明】
【００１０】
１  家具転倒防止金具本体
２  家具フ゜レート
３  壁面フ゜レート
４  ループ部分
５  ビス穴
【図１】
0003174297.tif 000003
【図２】
0003174297.tif 000004
【図３】
0003174297.tif 000005
【図４】
0003174297.tif 000006
【手続補正書】
【提出日】平成24年1月5日(2012.1.5)
【手続補正１】
【補正対象書類名】実用新案登録請求の範囲
【補正対象項目名】全文
【補正方法】変更
【補正の内容】
【実用新案登録請求の範囲】
【請求項１】
金具本体にバネ鋼板を用い一体成形し、本体中間にループ部分を設け振動時にループ部分でのたわみ反復作用により、衝撃を吸収し取付けビスへの引き抜き力を緩和するところを特徴とする家具転倒防止金具。
【請求項２】
本体の形状は壁面フ゜レートのビス穴をループ部分より幅広くしてあるところを特徴とする請求項1記載の家具転倒防止金具。